(57)【要約】【課題】外装体が、腹側シートと背側シートとに分割されたタイプでありながら、着用時に着用者の腹側において横漏れを防止することができ、背側において臀部を十分に被覆することができ、軟便などを十分に捕捉することができるパンツ型吸収性物品を提供すること。【解決手段】本発明のおむつ１Ａは、腹側シート２Ａ、背側シート２Ｂ、それら２Ａ，２Ｂに亘って固定部４を介して固定された吸収性本体３を具備している。背側シート２Ｂは、背側シート本体２０Ｂ及び下方に延出する背側延出部分２１Ｂを備えている。吸収性本体３は、腹側シート２Ａとの固定部４以外の部位において、幅方向外方に延出する腹側可動部３６Ａを備え、背側シート２Ｂとの固定部４以外の部位において、幅方向外方に延出する背側可動部３６Ｂを有し、腹側可動部３６Ａの幅が背側可動部３６Ｂの幅よりも大きい。【選択図】図１
2011078476.tif 000002
【特許請求の範囲】
【請求項１】
着用時に着用者の腹側に配される腹側シートと、着用時に着用者の背側に配される背側シートと、腹側シート及び背側シートに亘って固定部を介して固定された吸収性本体とを具備し、前記腹側シート及び前記背側シートそれぞれの両側縁部が接合されてウエスト開口部と一対のレッグ開口部とが形成されたパンツ型吸収性物品であって、
前記背側シートは、背側シート本体及び着用時に該背側シート本体の下縁に沿って下方に延出する背側延出部分を備えており、
前記吸収性本体は、前記腹側シートとの前記固定部以外の部位において、該吸収性本体の幅方向両外方に延出する一対の腹側可動部を備えており、
前記吸収性本体は、前記背側シートの下端部を含む部位において、全域で固定されているか、又は前記背側シートとの前記固定部以外の部位において、該吸収性本体の幅方向両外方に延出する一対の背側可動部を有し且つ前記腹側可動部の幅方向の幅が前記背側可動部の幅よりも大きいパンツ型吸収性物品。
【請求項２】
前記腹側シートは、腹側シート本体と着用時に腹側シート本体の下縁に沿って下方に延出する腹側延出部分を備えている請求項１に記載のパンツ型吸収性物品。
【請求項３】
一対の前記腹側可動部それぞれは、前記腹側延出部分の下縁における幅方向の幅が、前記腹側シート本体の下縁における幅方向の幅よりも小さい請求項２に記載のパンツ型吸収性物品。
【請求項４】
一対の前記背側可動部それぞれは、前記背側延出部分の下縁における幅方向の幅が、前記背側シート本体の下縁における幅方向の幅よりも小さい請求項１〜３の何れかに記載のパンツ型吸収性物品。
【請求項５】
前記吸収性本体は、実質的に縦長の長方形状であり、表面シート、裏面シート、両シート間に介在する吸収体、及び両側部それぞれに長手方向に沿って伸長状態で配された弾性部材を備えており、
前記パンツ型吸収性物品の腹側部においては、前記吸収体は、該吸収体の両側部の剛性よりも剛性の高い中央高剛性部を有し、該中央高剛性部の幅が、前記固定部の幅と同じか、又は前記固定部の幅より狭い請求項１〜４の何れかに記載のパンツ型吸収性物品。
【発明の詳細な説明】
【技術分野】
【０００１】
本発明は、使い捨ておむつ等のパンツ型吸収性物品に関する。
【背景技術】
【０００２】
従来のパンツ型吸収性物品として、外包体が、着用時に着用者の腹側に配される腹側シートと、着用時に着用者の背側に配される背側シートとに分割されており、吸収性本体が、腹側シート及び背側シートに架け渡すように固定されていると共に、腹側シートの左右の両側縁部と背側シートの左右両側縁部とが接合されているパンツ型吸収性物品が知られている。例えば、特許文献１には、前述のようなパンツ型吸収性物品として、前方部（腹側シート）の左右両側の部位が後方部（背側シート）の左右両側の部位にそれぞれ接合された筒状の外装シート（外包体）と、外装シート（外包体）の下端から下側に突出し着用者の股間部に対向して排泄物を吸収する吸収体とを備え、吸収体の中央部が前方部（腹側シート）及び後方部（背側シート）それぞれの下端部と接合されており、吸収体の両側部が非接合とされている吸収性物品が記載されている。
【０００３】
このような特許文献１に記載の吸収性物品においては、着用時に着用者の腹側に配される吸収体両側部の非接合部が立ち上がり易いので、脚を動かし易く、横漏れを防止することができる。しかしながら、特許文献１に記載の吸収性物品においては、前方部（腹側シート）及び後方部（背側シート）それぞれの縦方向の長さが、略同じである為、着用者の臀部を十分に被覆することができない。また、特許文献１に記載の吸収性物品においては、着用時に着用者の背側に配される吸収体両側部の非接合部の幅が、着用者の腹側に配される吸収体両側部の非接合部の幅と略同じ程度に広い為、臀部をしっかりと覆うことができず、軟便などを十分に捕捉することができない。
【０００４】
また、例えば、特許文献２には、前述のようなパンツ型吸収性物品として、前ベルト部分及び後ろベルト部分からなる環状弾性ベルトと吸収性本体とを備えると共に、後ろベルト部分（背側シート）の縦方向の長さを、前ベルト部分（腹側シート）の縦方向の長さよりも長くしたプルオン衣類が記載されている。
【０００５】
このような特許文献２に記載のパンツ型吸収性物品においては、後ろベルト部分の縦方向の長さが、前ベルト部分（腹側シート）の同長さより長いことによって、着用者の臀部の被覆性が高められている。しかしながら、特許文献２に記載のパンツ型吸収性物品においては、環状弾性ベルトと吸収性本体との接合について、吸収性本体の両側部に未接合部を設けているか否かについて何ら記載されていない。
【先行技術文献】
【特許文献】
【０００６】
【特許文献１】特開２００８−１９４１６１号公報
【特許文献２】特表２００８−５０８０８２号公報
【発明の概要】
【発明が解決しようとする課題】
【０００７】
したがって、本発明の課題は、外装体が、着用者の腹側に配される腹側シートと着用者の背側に配される背側シートとに分割されたタイプのパンツ型吸収性物品でありながら、脚を動かし易く、着用時に着用者の腹側において、横漏れを防止することができ、着用時に着用者の背側において、着用者の臀部を十分に被覆することができ、軟便などを十分に捕捉することができるパンツ型吸収性物品を提供することにある。
【課題を解決するための手段】
【０００８】
本発明は、着用時に着用者の腹側に配される腹側シートと、着用時に着用者の背側に配される背側シートと、腹側シート及び背側シートに亘って固定部を介して固定された吸収性本体とを具備し、前記腹側シート及び前記背側シートそれぞれの両側縁部が接合されてウエスト開口部と一対のレッグ開口部とが形成されたパンツ型吸収性物品であって、前記背側シートは、背側シート本体及び着用時に該背側シート本体の下縁に沿って下方に延出する背側延出部分を備えており、前記吸収性本体は、前記腹側シートとの前記固定部以外の部位において、該吸収性本体の幅方向両外方に延出する一対の腹側可動部を備えており、前記吸収性本体は、前記背側シートの下端部を含む部位において、全域で固定されているか、又は前記背側シートとの前記固定部以外の部位において、該吸収性本体の幅方向両外方に延出する一対の背側可動部を有し且つ前記腹側可動部の幅方向の幅が前記背側可動部の幅よりも大きいパンツ型吸収性物品を提供するものである。
【発明の効果】
【０００９】
本発明のパンツ型吸収性物品によれば、脚を動かし易く、着用時に着用者の腹側において、横漏れを防止することができ、着用時に着用者の背側において、着用者の臀部を十分に被覆することができ、軟便などを十分に捕捉することができる。
【図面の簡単な説明】
【００１０】
【図１】図１は、本発明の第１実施形態であるパンツ型使い捨ておむつの斜視図である。
【図２】図２は、図１に示すパンツ型使い捨ておむつを伸張させて拡げた状態を表面シート側から見た平面図である。
【図３】図３（ａ）は図２のＸ１−Ｘ１線断面図であり、図３（ｂ）は図２のＸ２−Ｘ２線断面図である。
【図４】図４は、図１に示すパンツ型使い捨ておむつの吸収体の平面図である。
【図５】図５は、図１に示すパンツ型使い捨ておむつの吸収体の他の実施形態の平面図である。
【図６】図６は、本発明の第２実施形態であるパンツ型使い捨ておむつを伸張させて拡げた状態を表面シート側から見た平面図である。
【図７】図７（ａ）は図６のＸ３−Ｘ３線断面図であり、図７（ｂ）は図６のＸ４−Ｘ４線断面図である。
【図８】図８（ａ）は図６のＸ５−Ｘ５線断面図であり、図８（ｂ）は図６のＸ６−Ｘ６線断面図である。
【図９】図９は、図６に示すパンツ型使い捨ておむつの吸収体の平面図である。
【図１０】図１０は、図６に示すパンツ型使い捨ておむつの吸収体の他の実施形態の平面図である。
【図１１】図１１は、本発明の第３実施形態であるパンツ型使い捨ておむつを伸張させて拡げた状態を表面シート側から見た平面図である。
【図１２】図１２（ａ）は図１１のＸ７−Ｘ７線断面図であり、図１２（ｂ）は図１１のＸ８−Ｘ８線断面図である。
【図１３】図１３は、図１１に示すパンツ型使い捨ておむつの吸収体の平面図である。
【発明を実施するための形態】
【００１１】
以下、本発明のパンツ型吸収性物品を、その好ましい第１実施形態に基づき、図１〜図４を参照しながら説明する。
【００１２】
第１実施形態のパンツ型使い捨ておむつ１Ａ（以下、「おむつ１Ａ」ともいう。）は、図１に示すように、着用時に着用者の腹側に配される腹側シート２Ａと、着用時に着用者の背側に配される背側シート２Ｂと、腹側シート２Ａ及び背側シート２Ｂに亘って固定部４を介して固定された吸収性本体３とを具備し、腹側シート２Ａの両側縁部２ａ，２ａと背側シート２Ｂの両側縁部２ｂ，２ｂとが接合されてウエスト開口部ＷＯと一対のレッグ開口部ＬＯ，ＬＯとが形成されている。
おむつ１Ａは、図１〜図２に示すように、中心線ＣＬに対して左右対称に形成されている。従って以下の説明では、左右対称な部分については、主に、右側について説明する。
【００１３】
第１実施形態のおむつ１Ａについて、詳述すると、おむつ１Ａは、伸張状態（図２参照）において、その長手方向（以下「Ｙ方向」という。Ｙ方向：中心線ＣＬに平行な方向をいう。）に、着用時に、着用者の腹側に配される腹側部Ａと、着用者の背側に配される背側部Ｂと、腹側部Ａと背側部Ｂとの間に位置し、着用者の股間部に配される股下部Ｃを有している。尚、おむつ１Ａの幅方向は、その長手方向（Ｙ方向）に直交する方向（以下「Ｘ方向」という。）である。
【００１４】
第１実施形態のおむつ１Ａについては、腹側シート２Ａは、図２に示すように、腹側シート本体２０Ａ、及び着用時に腹側シート本体２０Ａの下縁２００に沿って下方に延出する腹側延出部分２１Ａを備えている。ここで、「下方」とは、おむつ１Ａの長手方向（Ｙ方向）におけるおむつ１Ａの中心ＣＴ（図２参照）に向かう方向を意味する。具体的には、腹側シート本体２０Ａは、おむつ１の伸張状態（図２参照）において、おむつ幅方向（Ｘ方向）に長い長方形状をなしており、おむつ長手方向（Ｙ方向）に沿う左右一対の側縁部２０ａ，２０ａを有している。腹側延出部分２１Ａは、腹側シート本体２０Ａの下縁２００に沿って腹側シート本体２０Ａから下方に延出しており、おむつ１の伸張状態（図２参照）において、おむつ幅方向（Ｘ方向）に長い長方形状をなしており、おむつ長手方向（Ｙ方向）に沿う左右一対の側縁部２１ａ，２１ａを有している。
【００１５】
本発明においては、背側シート２Ｂは、図２に示すように、背側シート本体２０Ｂ及び着用時に背側シート本体２０Ｂの下縁２００に沿って下方に延出する背側延出部分２１Ｂを備えている。ここで、「下方」とは、腹側シート２Ａと同様に、おむつ１Ａの長手方向（Ｙ方向）におけるおむつ１Ａの中心ＣＴ（図２参照）に向かう方向を意味する。具体的には、背側シート本体２０Ｂは、おむつ１の伸張状態（図２参照）において、おむつ幅方向（Ｘ方向）に長い長方形状をなしており、おむつ長手方向（Ｙ方向）に沿う左右一対の側縁部２０ｂ，２０ｂを有している。背側延出部分２１Ｂは、背側シート本体２０Ｂの下縁２００に沿って背側シート本体２０Ｂから下方に延出しており、おむつ１の伸張状態（図２参照）において、おむつ幅方向（Ｘ方向）に長い長方形状をなしており、おむつ長手方向（Ｙ方向）に沿う左右一対の側縁部２１ｂ，２１ｂを有している。
【００１６】
第１実施形態のおむつ１Ａについては、腹側シート２Ａの両側縁部２ａ，２ａの一部と背側シート２Ｂの両側縁部２ｂ，２ｂの一部とが接合されてウエスト開口部ＷＯと一対のレッグ開口部ＬＯ，ＬＯとが形成されている。具体的には、腹側シート本体２０Ａの側縁部２０ａ，２０ａと背側シート本体２０Ｂの側縁部２０ｂ，２０ｂとが全域で接合され、腹側延出部分２１Ａの側縁部２１ａ，２１ａと背側シート本体２０Ｂの側縁部２１ｂ，２１ｂとは接合されていない。このように、腹側シート本体２０Ａの側縁部２０ａ，２０ａと背側シート本体２０Ｂの側縁部２０ｂ，２０ｂとが接合されて、おむつ１Ａには、図１に示すように、サイドシール部５，５、ウエスト開口部ＷＯと一対のレッグ開口部ＬＯ，ＬＯとが形成される。この接合には、例えばヒートシール、高周波シール、超音波シール、接着剤等が用いられる。
【００１７】
図１に示すサイドシール部５の長手方向（Ｙ方向）の長さは、図２に示すように、腹側シート本体２０Ａ及び背側シート本体２０Ｂの長手方向（Ｙ方向）の長さＬ１と同じであり、腹側シート２Ａの長手方向（Ｙ方向）の長さＬａ及び背側シート２Ｂの長手方向（Ｙ方向）の長さＬｂの何れよりも短く形成されている。腹側シート２Ａには、図２に示すように、サイドシール部５より下方に延出する、長手方向（Ｙ方向）の長さＬ２の腹側延出部分２１Ａが形成されており、背側シート２Ｂには、サイドシール部５より下方に延出する、長手方向（Ｙ方向）の長さＬ３の背側延出部分２１Ｂが形成されている。
【００１８】
着用時に着用者の背側において、着用者の臀部を十分に被覆する観点から、おむつ１Ａにおける腹側延出部分２１Ａ及び背側延出部分２１Ｂは、それらの延出開始位置が、おむつ１Ａの装着時における装着者の鼠径部に対応する位置であることが好ましい。具体的には、腹側延出部分２１Ａの長さＬ２は、サイドシール部５（腹側シート本体２０Ａ）の長さＬ１の５〜１５０％であることが好ましく、２５〜７０％であることがより好ましい。更に、腹側延出部分２１Ａの長さＬ２は、腹側シート２Ａの長さＬａの５〜６０％であることが好ましく、２０〜４０％であることがより好ましい。背側延出部分２１Ｂの長さＬ３は、サイドシール部５（背側シート本体２０Ｂ）の長さＬ１の５〜１５０％であることが好ましく、２５〜７０％であることがより好ましい。更に、背側延出部分２１Ｂの長さＬ３は、背側シート２Ｂの長さＬｂの５〜６０％であることが好ましく、２０〜４０％であることがより好ましい。尚、腹側延出部分２１Ａ及び背側延出部分２１Ｂそれぞれの延出長さＬ２，Ｌ３は、１０ｍｍ以上であることが好ましく、２０ｍｍ以上であることがより好ましい。
【００１９】
腹側シート２Ａ及び背側シート２Ｂは、着用者を前側から見たときに見える肌の露出部分を減らして漏れに対する不安感を低減する観点からは、腹側延出部分２１Ａの延出長さＬ２と背側延出部分２１Ｂの延出長さＬ３とがほぼ等しいことが好ましい。
【００２０】
他方、腹側シート２Ａ及び背側シート２Ｂは、臀部を被覆して過度の露出を防止しつつ、着用者の股部前側もある程度覆うようにした外観に優れたおむつを形成する観点からは、背側延出部分２１Ｂの延出長さＬ３を腹側延出部分２１Ａの延出長さＬ２よりも長くすることが好ましい。
【００２１】
腹側シート２Ａ及び背側シート２Ｂとしては、シート間に伸長状態で配された弾性部材の収縮によりギャザーを形成し伸縮性を発現するもの、又は、不織布自体が伸縮性を有する伸縮不織布を用いることができる。おむつ１Ａにおいては、図２，図３に示すように、おむつの外面をなす外層シート２２と、外層シート２２の内面側に配された内層シート２３と、両シート２２，２３間に伸長状態で配された複数本の糸状の弾性部材２４とを備え、それぞれ、ウエスト伸縮部Ｇ１，胴回り伸縮部Ｇ２及び延出部分伸縮部Ｇ３を形成している。
おむつ１Ａにおいては、図２に示すように、ウエスト伸縮部Ｇ１は、吸収性本体３の長手方向（Ｙ方向）の両端部３ａ，３ａそれぞれより外方に形成されており、延出部分伸縮部Ｇ３は、腹側シート２Ａの腹側延出部分２１Ａ及び背側シート２Ｂの背側延出部分２１Ｂそれぞれに形成されており、胴回り伸縮部Ｇ２は、腹側シート２Ａ及び背側シート２Ｂのそれぞれにおいて、ウエスト伸縮部Ｇ１と延出部分伸縮部Ｇ３との間に形成されている。胴回り伸縮部Ｇ２及び延出部分伸縮部Ｇ３は、おむつ１の幅方向（Ｘ方向）における、少なくとも、吸収性本体３の長手方向両側縁それぞれから幅方向（Ｘ方向）外方に位置する部分において伸縮性を発現している。
【００２２】
吸収性本体３は、図２，図３に示すように、実質的に縦長の長方形状であり、表面シート３１、裏面シート３２、両シート３１，３２間に介在する吸収体３３、及び吸収性本体３の長手方向（Ｙ方向）の両側部３ｂ，３ｂそれぞれに長手方向（Ｙ方向）に沿って伸長状態で配された弾性部材３４を備えている。具体的には、おむつ１Ａにおいては、吸収性本体３は、図２に示すように、液透過性の表面シート３１、液不透過性（液難透過性）の裏面シート３２及び両シート３１，３２間に介在された吸収体３３を有する実質的に縦長の長方形状である。吸収体３３は、図４に示すように、おむつ１Ａの長手方向（Ｙ方向）に長い長方形状であり、吸収コア３３１及びティッシュペーパ３３２を有している。表面シート３１及び裏面シート３２も、図２に示すように、それぞれおむつ１Ａの長手方向（Ｙ方向）に長い長方形状である。表面シート３１は、図３に示すように、裏面シート３２よりも幅方向（Ｘ方向）に長く、吸収体３３の幅方向（Ｘ方向）の両端縁から延出した部分が、吸収体３３の非肌当接面側に折り返され裏面シート３２に接合され、且つ表面シート３１及び裏面シート３２は、吸収体３３の長手方向（Ｙ方向）の両端縁から延出した部分において互いに接合されている。このように接合することにより、縦長の長方形状の吸収性本体３が形成されている。吸収性本体３の長手方向（Ｙ方向）の両側部３ｂ，３ｂには、図３に示すように、液抵抗性又は撥水性で且つ通気性の素材から構成された側方カフス３５，３５が設けられている。各側方カフス３５の自由端部近傍には、弾性部材３４が長手方向（Ｙ方向）に伸長した状態で配されている。側方カフス３５は、おむつの着用時に自由端部側が起立し、吸収性本体３の幅方向への液の流出が阻止される。側方カフス３５の自由端部と反対側の端部は、図３に示すように、吸収体３３の非肌当接面側であって、表面シート３１と裏面シート３２との間に固定されている。
【００２３】
第１実施形態のおむつ１Ａの腹側部Ａにおいては、吸収体３３は、図４に示すように、吸収体３３の長手方向（Ｙ方向）の両側部３３ｂ，３３ｂの剛性よりも剛性の高い中央高剛性部３３ａを有している。おむつ１Ａにおける吸収体３３の中央高剛性部３３ａは、図４に示すように、吸収体３３の長手方向（Ｙ方向）の両端間に亘って形成されている。中央高剛性部３３ａは、その剛性が、吸収体３３の側部３３ｂの剛性よりも高く、吸収体３３の側部３３ｂの剛性の１．１倍〜５．０倍高いことが好ましい。尚、おむつ１Ａにおいては、中央高剛性部３３ａは、図４に示すように、吸収体３３の長手方向（Ｙ方向）の両端間に亘って形成されているが、図５に示すように、半分より腹側部Ａ側にのみ形成されていてもよい。
【００２４】
〔吸収体３３の剛性の測定法〕
吸収体３３（中央高剛性部３３ａ及び吸収体３３の側部３３ｂ）の剛性は、ＪＩＳ  Ｌ  １０９６ハンドロメーター法に準じて次のようにして測定される。吸収性本体３を長手方向（Ｙ方向）に３０ｍｍ、幅方向（Ｘ方向）に３０ｍｍの大きさにカットし、吸収体３３の剛性を損なわないように（折りや曲げをないように）注意しながら表面シート３１及び裏面シート３２を取り除きこれを試験サンプルとする。次に、大栄科学精器製作所製ハンドロメーターを使用し、スリット間１０ｍｍの試料台上に試験片（長さ３０ｍｍ，幅３０ｍｍ）を固定せず平置き、試料台表面から８ｍｍまで下がるように調整したブレードを一定速度２００ｍｍ／ｍｉｎで下降させ、試験片を押圧した時の指示計の示す最高値（ｃＮ）を読み取る。測定を３回行いその平均値を算出して吸収体３３の剛性の値とする。
【００２５】
吸収性本体３は、図２，図３（ａ），図３（ｂ）に示すように、腹側シート２Ａ及び背側シート２Ｂに亘って固定部４を介して固定されている。尚、図２，図３（ａ），図３（ｂ）に示すように、外装体１１の幅方向（Ｘ方向）の長さは、吸収性本体１２の幅方向（Ｘ方向）の長さよりも長い。吸収性本体３は、図３（ａ）に示すように、腹側シート２Ａとの固定部４以外の部位において、吸収性本体３の幅方向（Ｘ方向）両外方に延出する一対の腹側可動部３６Ａ，３６Ａを備え、図３（ｂ）に示すように、背側シート２Ｂとの固定部４以外の部位において、吸収性本体３の幅方向（Ｘ方向）両外方に延出する一対の背側可動部３６Ｂ，３６Ｂを有している。具体的には、吸収性本体３は、図２，図３（ａ）に示すように、腹側シート２Ａと交差するように配され、その中央部において、固定部４を介して、腹側シート本体２０Ａと腹側延出部分２１Ａと固定されている。しかし、吸収性本体３の両側部３ｂ，３ｂそれぞれは、図２，図３（ａ）に示すように、固定部４を介して、腹側シート本体２０Ａと腹側延出部分２１Ａと固定されておらず、自由端部となる一対の腹側可動部３６Ａ，３６Ａを形成している。また、おむつ１Ａにおいては、背側部Ｂも腹側部Ａと同様に、吸収性本体３の両側部３ｂ，３ｂそれぞれは、図２，図３（ｂ）に示すように、固定部４を介して、背側シート本体２０Ｂと背側延出部分２１Ｂと固定されておらず、自由端部となる一対の背側可動部３６Ｂ，３６Ｂを形成している。腹側可動部３６Ａ及び背側可動部３６Ｂは、図３（ａ），図３（ｂ）に示すように、おむつの着用時に、長手方向（Ｙ方向）に伸長した状態で配されている弾性部材３４の収縮により、おむつの着用時に側方カフス３５の自由端部側が起立すると同時に、肌当接面側に起立するように形成されている。
【００２６】
尚、おむつ１Ａにおいては、背側部Ｂに、自由端部となる一対の背側可動部３６Ｂ，３６Ｂが形成されているが、吸収性本体３は、背側シート２Ｂの下端部（背側延出部分２１Ｂ及び背側シート本体２０Ｂ）を含む部位において、全域で固定されていてもよい。即ち、背側部Ｂにおいては、自由端部となる一対の背側可動部３６Ｂ，３６Ｂを形成していなくてもよい。
【００２７】
図３（ａ），図３（ｂ）に示すように、腹側可動部３６Ａの幅方向（Ｘ方向）の幅Ｗ１は、背側可動部３６Ｂの幅方向（Ｘ方向）の幅Ｗ２よりも大きく形成されている。おむつ１Ａにおいては、腹側部Ａにおける固定部４は、その幅方向（Ｘ方向）の幅が、長手方向（Ｙ方向）において均一であるため、腹側可動部３６Ａの幅Ｗ１は、長手方向（Ｙ方向）において均一である。同様に、おむつ１Ａにおいては、背側部Ｂにおける固定部４は、その幅方向（Ｘ方向）の幅が、長手方向（Ｙ方向）において均一であるため、背側可動部３６Ｂの幅Ｗ２は、長手方向（Ｙ方向）において均一である。
【００２８】
おむつ１Ａの腹側可動部３６Ａの幅Ｗ１は、１０ｍｍ〜８０ｍｍであることが好ましく、３０ｍｍ〜５０ｍｍであることが更に好ましい。おむつ１Ａの背側可動部３６Ｂの幅Ｗ２は、０ｍｍ〜４０ｍｍであることが好ましく、０ｍｍ〜２０ｍｍであることが更に好ましい。
【００２９】
おむつ１Ａにおいては、図４に示すように、吸収性本体３を形成する吸収体３３の中央高剛性部３３ａの幅方向（Ｘ方向）の幅Ｗ３が、図３（ａ），図３（ｂ）に示す固定部４の幅方向（Ｘ方向）の幅Ｗ４，Ｗ５と同じか、又は幅Ｗ４，Ｗ５より狭く形成されている。中央高剛性部３３ａと吸収体３３の側部３３ｂとには、剛性差があるため、腹側可動部３６Ａ及び背側可動部３６Ｂは、図３（ａ），図３（ｂ）に示すように、おむつの着用時に、長手方向（Ｙ方向）に伸長した状態で配されている弾性部材３４の収縮によって、更に肌当接面側に起立し易いように形成されている。
【００３０】
おむつ１Ａの腹側部Ａにおける固定部４の幅Ｗ４（図３（ａ）参照）は、３５ｍｍ〜１７５ｍｍであることが好ましく、７０ｍｍ〜１３５ｍｍであることが更に好ましい。おむつ１Ａの背側部Ｂにおける固定部４の幅Ｗ５（図３（ｂ）参照）は、１１０ｍｍ〜２００ｍｍであることが好ましく、１６０ｍｍ〜２００ｍｍであることが更に好ましい。吸収体３３の中央高剛性部３３ａの幅Ｗ３（図４参照）は、９０ｍｍ〜１８０ｍｍであることが好ましく、１２５ｍｍ〜１５０ｍｍであることが更に好ましい。
【００３１】
第１実施形態のパンツ型使い捨ておむつ１Ａの形成材料について説明する。
腹側シート２Ａ及び背側シート２Ｂを構成する外層シート２２と内層シート２３としては、通常、使い捨ておむつ等の吸収性物品に用いられるものであれば、特に制限なく用いることができる。例えば、外層シート２２及び内層シート２３としては、撥水性の不織布等を用いることができる。
【００３２】
吸収性本体３を構成する表面シート３１、裏面シート３２、吸収体３３及び側方カフス３５を形成するシートとしては、それぞれ、通常、使い捨ておむつ等の吸収性物品に用いられるものであれば、特に制限なく用いることができる。例えば、表面シート３１としては、親水性且つ液透過性の不織布等を用いることができ、裏面シート３２としては、液不透過性又は撥水性の樹脂フィルムや樹脂フィルムと不織布の積層体等を用いることができる。吸収体３３としては、吸収性ポリマーの粒子及び繊維材料から構成された吸収コア３３１をティッシュペーパ３３２によって被覆されているものを用いることができる。側方カフス３５を形成するシートとしては、伸縮性のフィルム、不織布、織物またはそれらの積層シート等を用いることができる。
【００３３】
ウエスト伸縮部Ｇ１，胴回り伸縮部Ｇ２及び延出部分伸縮部Ｇ３を形成する弾性部材２４、及び側方カフス３５に配される弾性部材３４としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる
【００３４】
吸収性本体３と、腹側シート２Ａ及び背側シート２Ｂとの固定部４の固定手段は、通常、使い捨ておむつ等の吸収性物品に用いられる接着剤や、ヒートエンボス、超音波エンボス、高周波エンボス等の融着手段が用いられる。表面シート３１、裏面シート３２、側方カフス３５の固定も同様に、通常、使い捨ておむつ等の吸収性物品に用いられる接着剤やヒートエンボス、超音波エンボス、高周波エンボス等の融着手段が用いられる。サイドシール部５，５の接合には、例えばヒートシール、高周波シール、超音波シール、接着剤等が用いられる。
【００３５】
上述した本発明の第１施形態のパンツ型使い捨ておむつ１Ａを使用した際の作用効果について説明する。
第１実施形態のおむつ１Ａは、図１，図２に示すように、着用時に着用者の腹側に配される腹側シート２Ａと、着用時に着用者の背側に配される背側シート２Ｂと、腹側シート２Ａ及び背側シート２Ｂに亘って固定部４を介して固定された吸収性本体３とを具備するパンツ型使い捨ておむつであるため、脚を動かし易い。また、第１実施形態のおむつ１Ａは、図１，図２に示すように、背側シート２Ｂは、背側シート本体２０Ｂの下縁２００に沿って下方に延出する背側延出部分２１Ｂを備えているため、着用者の臀部を十分に被覆することができる。また、第１実施形態のおむつ１Ａは、吸収性本体３が、図３（ａ）に示すように、幅方向（Ｘ方向）両外方に延出する一対の腹側可動部３６Ａ，３６Ａを備え、図３（ｂ）に示すように、幅方向（Ｘ方向）両外方に延出する一対の背側可動部３６Ｂ，３６Ｂを有しており、腹側可動部３６Ａの幅方向（Ｘ方向）の幅Ｗ１は、背側可動部３６Ｂの幅方向（Ｘ方向）の幅Ｗ２よりも大きく形成されている。その為、腹側可動部３６Ａの方が背側可動部３６Ｂよりも肌当接面側に起立し易く、着用時に着用者の腹側において、横漏れを確実に防止することができ、着用時に着用者の背側において、着用者の臀部を十分に被覆することができ、軟便などを十分に捕捉することができる。
【００３６】
また、第１実施形態のおむつ１Ａにおいては、腹側シート２Ａも、図２に示すように、腹側シート本体２０Ａの下縁２００に沿って下方に延出する腹側延出部分２１Ａを備え、延出部分伸縮部Ｇ３を形成している。このように、腹側延出部分２１Ａに幅方向（Ｘ方向）の伸縮性が付与されている為、腹側延出部分２１Ａの長手方向（Ｙ方向）におけるおむつ中心ＣＴ側の端縁が、着用者の脚に柔軟に当たると共に、おむつ１Ａのズレ落ちを効果的に防止することができる。
【００３７】
また、第１実施形態のおむつ１Ａにおいては、吸収体３３に、図４に示すように、その側部３３ｂの剛性よりも剛性の高い中央高剛性部３３ａを備え、中央高剛性部３３ａの幅Ｗ３が、固定部４の幅Ｗ４，Ｗ５と同じか、又は幅Ｗ４，Ｗ５より狭く形成されている。従って、おむつの着用時に、中央高剛性部３３ａと吸収体３３の側部３３ｂとの剛性差により、剛性差のある部位を起点に、腹側可動部３６Ａ及び背側可動部３６Ｂが肌当接面側に起立し易く、着用者の腹側において、更に横漏れを確実に防止することができ、着用時に着用者の背側において、更に着用者の臀部を十分に被覆することができ、更に軟便などを十分に捕捉することができる。
【００３８】
次に、本発明の第２実施形態のパンツ型使い捨ておむつについて、図６〜図９に基づいて説明する。
第２実施形態のパンツ型使い捨ておむつ１Ｂ（以下、「おむつ１Ｂ」ともいう）については、第１実施形態のパンツ型使い捨ておむつ１Ａと異なる点について説明する。特に説明しない点は、第１実施形態のパンツ型使い捨ておむつ１Ａと同様であり、第１実施形態のパンツ型使い捨ておむつ１Ａの説明が適宜適用される。
【００３９】
第２実施形態のおむつ１Ｂは、図６に示すように、腹側部Ａにおける固定部４は、その幅方向（Ｘ方向）の幅が、長手方向（Ｙ方向）において均一でなく、長手方向（Ｙ方向）におけるおむつ１Ｂの中心ＣＴに向かう方向に漸次広くなっており、同様に、背側部Ｂにおける固定部４は、その幅方向（Ｘ方向）の幅が、長手方向（Ｙ方向）におけるおむつ１Ｂの中心ＣＴに向かう方向に漸次広くなっている点がおむつ１Ａと異なる。また、吸収体３３は、図９に示すように、吸収体３３の両側部３３ｂ，３３ｂの剛性よりも剛性の高い中央高剛性部３３ａを有しておらず、略一定の剛性であるが、両側部３３ｂ，３３ｂと中央部３３ｃとの間に吸収体の存在しない空間部３３ｄが形成されている点がおむつ１Ａと異なる。
【００４０】
おむつ１Ｂは、図７（ａ），図７（ｂ）に示すように、一対の腹側可動部３６Ａ，３６Ａそれぞれは、腹側延出部分２１Ａの下縁２０１における幅方向（Ｘ方向）の幅Ｗ６が、腹側シート本体２０Ａの下縁２００における幅方向（Ｘ方向）の幅Ｗ７よりも小さく形成されている。具体的には、おむつ１Ｂは、図６に示すように、腹側部Ａにおける固定部４は、中心ＣＴ側を下底とした台形状に形成されており、その幅が、長手方向（Ｙ方向）におけるおむつ１Ｂの中心ＣＴに向かう方向に漸次広くなっており、一対の腹側可動部３６Ａ，３６Ａそれぞれは、幅方向（Ｘ方向）の幅が、図７（ａ），図７（ｂ）に示すように、長手方向（Ｙ方向）におけるおむつ１Ｂの中心ＣＴに向かう方向に漸次狭くなっている。このように、おむつ１Ｂの腹側可動部３６Ａの下縁２０１における幅Ｗ６が、下縁２００における幅Ｗ７よりも小さく形成されている。
【００４１】
おむつ１Ｂの腹側可動部３６Ａの下縁２０１における幅Ｗ６は、１０ｍｍ〜８０ｍｍであることが好ましく、３０ｍｍ〜５０ｍｍであることが更に好ましく、おむつ１Ｂの腹側可動部３６Ａの下縁２００における幅Ｗ７は、２０ｍｍ〜１００ｍｍであることが好ましく、４０ｍｍ〜６０ｍｍであることが更に好ましい。
【００４２】
おむつ１Ｂは、図８（ａ），図８（ｂ）に示すように、一対の背側可動部３６Ｂ，３６Ｂそれぞれは、背側延出部分２１Ｂの下縁２０１における幅方向（Ｘ方向）の幅Ｗ８が、背側シート本体２０Ｂの下縁２００における幅方向（Ｘ方向）の幅Ｗ９よりも小さく形成されている。具体的には、おむつ１Ｂは、図６に示すように、背側部Ｂにおける固定部４は、中心ＣＴ側を底辺とした二等辺三角形状に形成されており、その幅が、長手方向（Ｙ方向）におけるおむつ１Ｂの中心ＣＴに向かう方向に漸次広くなっており、一対の背側可動部３６Ｂ，３６Ｂそれぞれは、幅方向（Ｘ方向）の幅が、図８（ａ），図８（ｂ）に示すように、長手方向（Ｙ方向）におけるおむつ１Ｂの中心ＣＴに向かう方向に漸次狭くなっている。このように、おむつ１Ｂの背側可動部３６Ｂの下縁２０１における幅Ｗ８が、下縁２００における幅Ｗ９よりも小さく形成されている。尚、おむつ１Ｂの背側部Ｂにおいては、背側延出部分２１Ｂの下縁２０１での固定部４の幅方向（Ｘ方向）の幅と、吸収性本体３の幅方向（Ｘ方向）の幅が一致していてもよい。言い換えれば、おむつ１Ｂの背側部Ｂにおいては、背側延出部分２１Ｂの下縁２０１で背側延出部分２１Ｂを有していなくてもよい。
【００４３】
おむつ１Ｂの背側可動部３６Ｂの下縁２０１における幅Ｗ８は、０ｍｍ〜４０ｍｍであることが好ましく、０ｍｍ〜２０ｍｍであることが更に好ましく、おむつ１Ｂの背側可動部３６Ｂの下縁２００における幅Ｗ９は、１０ｍｍ〜８０ｍｍであることが好ましく、１０ｍｍ〜３０ｍｍであることが更に好ましい。
【００４４】
尚、おむつ１Ｂにおいては、腹側可動部３６Ａは、幅方向（Ｘ方向）の幅が、長手方向（Ｙ方向）におけるおむつ１Ｂの中心ＣＴに向かう方向に漸次狭くなっているが、腹側部Ａにおける固定部４の幅を、長手方向（Ｙ方向）におけるおむつ１Ｂの中心ＣＴに向かう方向に段階的に広くして、腹側可動部３６Ａの幅方向（Ｘ方向）の幅を、長手方向（Ｙ方向）におけるおむつ１Ｂの中心ＣＴに向かう方向に、段階的に狭くしてもよい。背側可動部３６Ｂについても同様に、段階的に狭くしてもよい。
【００４５】
第２実施形態のおむつ１Ｂの腹側部Ａにおいては、図９に示すように、吸収体３３は、吸収体３３の両側部３３ｂ，３３ｂそれぞれと中央部３３ｃとの間に、吸収体３３（吸収体のコア）の配されていない一対の空間部３３ｄ，３３ｄを有している。おむつ１Ｂにおける吸収体３３の空間部３３ｄは、図９に示すように、吸収体３３の長手方向（Ｙ方向）の両端間に亘って形成されている。尚、おむつ１Ｂにおいては、空間部３３ｄは、図９に示すように、吸収体３３の長手方向（Ｙ方向）の両端間に亘って形成されているが、図１０に示すように、半分より腹側部Ａ側にのみ形成されていてもよい。おむつ１Ｂにおいては、おむつの着用時に、吸収体３３の両側部３３ｂ，３３ｂそれぞれと中央部３３ｃとの剛性は略同じであるが、それらの間の空間部３３ｄを起点に、腹側可動部３６Ａ及び背側可動部３６Ｂが肌当接面側に起立し易くなる。尚、おむつ１Ｃにおいては、一対の空間部３３ｄ，３３ｄが、図９に示すように、吸収体３３の長手方向（Ｙ方向）の両端間に亘って形成されているが、図１０に示すように、腹側部Ａにのみ形成されていてもよい。
【００４６】
第２実施形態のパンツ型使い捨ておむつ１Ｂの形成材料について説明する。第２実施形態のおむつ１Ｂについては、第１実施形態のパンツ型使い捨ておむつ１Ａの形成材料と同様である。
【００４７】
上述した本発明の第２実施形態のパンツ型使い捨ておむつ１Ｂを使用した際の作用効果について説明する。
第２実施形態のおむつ１Ｂの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００４８】
第２実施形態のおむつ１Ｂは、腹側部Ａにおける固定部４の領域が、おむつ１Ａの固定部４の領域よりも狭く、背側部Ｂにおける固定部４の領域が、おむつ１Ａの固定部４の領域よりも狭くなっているので、固定部４におけるおむつ１Ｂの剛性の向上を抑えることができる。その為、おむつ１Ｂの装着時の装着感が向上する。
【００４９】
第２実施形態のおむつ１Ｂは、吸収体３３の両縁の可動部の幅が前後先端に向かう方向に漸次大きく、排泄部位を立体的に包み込むような形状を形成するため、尿や便が吸収体先端に達した際にそれが防御壁として働きモレが抑制される。
【００５０】
次に、本発明の第３実施形態のパンツ型使い捨ておむつについて、図１１〜図１２に基づいて説明する。
第３実施形態のパンツ型使い捨ておむつ１Ｃ（以下、「おむつ１Ｃ」ともいう）については、第１，第２実施形態のパンツ型使い捨ておむつ１Ａ，１Ｂと異なる点について説明する。特に説明しない点は、第１，第２実施形態のパンツ型使い捨ておむつ１Ａ，１Ｂと同様であり、第１，第２実施形態のパンツ型使い捨ておむつ１Ａ，１Ｂの説明が適宜適用される。
【００５１】
第３実施形態のおむつ１Ｃは、図１１に示すように、腹側シート２Ａが、腹側シート本体２０Ａの下縁２００に沿って下方に延出する腹側延出部分２１Ａを備えておらず、腹側シート本体２０Ａのみから形成されている点がおむつ１Ａ，１Ｂと異なる。
【００５２】
第３実施形態のおむつ１Ｃについては、腹側シート２Ａが、図１１に示すように、腹側シート本体２０Ａから形成されている。腹側シート本体２０Ａは、おむつ１の伸張状態（図１１参照）において、おむつ幅方向（Ｘ方向）に長い長方形状をなしており、おむつ長手方向（Ｙ方向）に沿う左右一対の側縁部２０ａ，２０ａを有している。背側シート２Ｂは、おむつ１Ａ，１Ｂと同様に、図１１に示すように、背側シート本体２０Ｂ及び着用時に背側シート本体２０Ｂの下縁２００に沿って下方に延出する背側延出部分２１Ｂを備えている。具体的には、背側シート本体２０Ｂは、おむつ１Ｃの伸張状態（図１１参照）において、おむつ幅方向（Ｘ方向）に長い長方形状をなしており、おむつ長手方向（Ｙ方向）に沿う左右一対の側縁部２０ｂ，２０ｂを有している。背側延出部分２１Ｂは、背側シート本体２０Ｂの下縁２００に沿って背側シート本体２０Ｂから下方に延出しており、おむつ１Ｃの伸張状態（図１１参照）において、おむつ幅方向（Ｘ方向）に長い長方形状をなしており、おむつ長手方向（Ｙ方向）に沿う左右一対の側縁部２１ｂ，２１ｂを有している。
【００５３】
第３実施形態のおむつ１Ｃについては、腹側シート２Ａの両側縁部２ａ，２ａの一部と背側シート２Ｂの両側縁部２ｂ，２ｂの一部とが接合されてウエスト開口部ＷＯと一対のレッグ開口部ＬＯ，ＬＯとが形成されている。具体的には、腹側シート本体２０Ａの側縁部２０ａ，２０ａと背側シート本体２０Ｂの側縁部２０ｂ，２０ｂとが全域で接合され、背側シート本体２０Ｂの側縁部２１ｂ，２１ｂは接合されていない。このように、腹側シート本体２０Ａの側縁部２０ａ，２０ａと背側シート本体２０Ｂの側縁部２０ｂ，２０ｂとが接合されて、おむつ１Ｃには、サイドシール部５，５、ウエスト開口部ＷＯと一対のレッグ開口部ＬＯ，ＬＯとが形成される。
【００５４】
第３実施形態のおむつ１Ｃについては、吸収性本体３は、図１１に示すように、実質的に縦長の長方形状であり、表面シート３１、裏面シート３２、両シート３１，３２間に介在する吸収体３３を備えている。吸収体３３は、図１２，図１３に示すように、吸収性本体３の長手方向（Ｙ方向）の両側部３ｂ，３ｂそれぞれに長手方向（Ｙ方向）に沿って伸長状態で配された弾性部材３３３を備えている。具体的には、おむつ１Ｃにおいては、吸収性本体３は、液透過性の表面シート３１、液不透過性（液難透過性）の裏面シート３２及び両シート３１，３２間に介在された吸収体３３を有する実質的に縦長の長方形状であり、その吸収体３３は、図１３に示すように、おむつ１Ａの長手方向（Ｙ方向）に長い長方形状であり、吸収体３３を構成する吸収コア３３１の長手方向（Ｙ方向）の両側部３３ｂ，３３ｂそれぞれに長手方向（Ｙ方向）に沿って伸長状態で配された弾性部材３３３を備え、それをティッシュペーパ３３２によって被覆されて形成されている。
【００５５】
吸収性本体３は、図１１，図１２（ａ），図１２（ｂ）に示すように、腹側シート２Ａ（腹側シート本体２０Ａ）及び背側シート２Ｂ（背側シート本体２０Ｂ及び背側延出部分２１Ｂ）に亘って固定部４を介して固定されている。吸収性本体３は、図１２（ａ）に示すように、腹側シート２Ａ（腹側シート本体２０Ａ）との固定部４以外の部位において、吸収性本体３の幅方向（Ｘ方向）両外方に延出する一対の腹側可動部３６Ａ，３６Ａを備え、図１２（ｂ）に示すように、背側シート２Ｂ（背側シート本体２０Ｂ及び背側延出部分２１Ｂ）との固定部４以外の部位において、吸収性本体３の幅方向（Ｘ方向）両外方に延出する一対の背側可動部３６Ｂ，３６Ｂを有している。腹側可動部３６Ａ及び背側可動部３６Ｂは、図１２（ａ），図１２（ｂ）に示すように、おむつの着用時に、長手方向（Ｙ方向）に伸長した状態で配されている弾性部材３４の収縮、及び吸収性本体３の吸収体３３を構成する吸収コアの長手方向（Ｙ方向）の両側部それぞれに伸長した状態で配されている弾性部材３３３の収縮により、更に肌当接面側に起立するように形成されている。
【００５６】
第３実施形態のパンツ型使い捨ておむつ１Ｃの形成材料について説明する。第３実施形態のおむつ１Ｃについては、第１実施形態のパンツ型使い捨ておむつ１Ａの形成材料と同様である。
【００５７】
上述した本発明の第３実施形態のパンツ型使い捨ておむつ１Ｃを使用した際の作用効果について説明する。
第３実施形態のおむつ１Ｃの効果については、第１実施形態のおむつ１Ａの効果と同様の効果が得られる。
【００５８】
本発明のパンツ型使い捨ておむつは、上述の第１，第２，第３実施形態のパンツ型使い捨ておむつに何ら制限されるものではなく、適宜変更可能である。また、上述の第１，第２，第３実施形態のパンツ型使い捨ておむつにおける各構成要件は、本発明の趣旨を損なわない範囲で、適宜組み合わせて実施できる。
【００５９】
例えば、上述の第１，第２実施形態のパンツ型使い捨ておむつ１Ａ，１Ｂにおいては、図２，図６に示すように、腹側シート２Ａが、腹側シート本体２０Ａ、及び着用時に腹側シート本体２０Ａの下縁２００に沿って下方に延出する腹側延出部分２１Ａを備えており、吸収性本体３が、腹側可動部３６Ａを形成するように、腹側シート２Ａの中央部において、固定部４を介して、腹側シート本体２０Ａ及び腹側延出部分２１Ａと固定されているが、腹側可動部３６Ａを形成しないように、吸収性本体３が腹側シート本体２０Ａの中央部において全域で固定され、腹側可動部３６Ａを形成するように、腹側延出部分２１Ａの中央部において、固定部４を介して、固定されていてもよい。
【００６０】
また、パンツ型吸収性物品は、幼児又は成人用のパンツ型使い捨ておむつの他、パンツ型の生理用ナプキン等であってもよい。
【符号の説明】
【００６１】
１Ａ，１Ｂ，１Ｃ  パンツ型使い捨ておむつ
２Ａ  腹側シート
２０Ａ  腹側シート本体
２００  腹側シート本体の下縁
２０ａ  腹側シート本体の側縁部
２１Ａ  腹側延出部分
２０１  腹側延出部分の下縁
２１ａ  腹側延出部分の側縁部
２Ｂ  背側シート
２０Ｂ  背側シート本体
２００  背側シート本体の下縁
２０ｂ  背側シート本体の側縁部
２１Ｂ  背側延出部分
２０１  背側延出部分の下縁
２１ｂ  背側延出部分の側縁部
２２  外層シート
２３  内層シート
２４  弾性部材
３  吸収性本体
３ａ  吸収性本体の長手方向（Ｙ方向）の端部
３ｂ  吸収性本体の長手方向（Ｙ方向）の側部
３１  表面シート
３２  裏面シート
３３  吸収体
３３１  吸収コア
３３２  ティッシュペーパ
３３３  弾性部材
３３ａ  中央高剛性部
３３ｂ  吸収体の側部
３３ｃ  中央部
３３ｄ  空間部
３４  弾性部材
３５  側方カフス
３６Ａ  腹側可動部
３６Ｂ  背側可動部
４  固定部
５  サイドシール部
Ａ  腹側部，Ｂ  背側部，Ｃ  股下部
ＣＬ  おむつの長手方向に延びる中心線，ＣＴ  おむつの中心
【図１】
2011078476.tif 000003
【図２】
2011078476.tif 000004
【図３】
2011078476.tif 000005
【図４】
2011078476.tif 000006
【図５】
2011078476.tif 000007
【図６】
2011078476.tif 000008
【図７】
2011078476.tif 000009
【図８】
2011078476.tif 000010
【図９】
2011078476.tif 000011
【図１０】
2011078476.tif 000012
【図１１】
2011078476.tif 000013
【図１２】
2011078476.tif 000014
【図１３】
2011078476.tif 000015